(57)【要約】【課題】吊り上げ具の長さ調整を容易に行えるようにする。【解決手段】回動自在に支持された本体２と、該本体２の一側に設けられた、蓋体２５に形成された係合孔２６に係合して蓋体２５を吊り上げる吊り上げ具５と、本体２の他側に設けられた、本体２の回動中心を支点にして吊り上げ具５を昇降操作する操作部１５とを備えた蓋体開閉装置において、前記吊り上げ具５を、蓋体２５の係合孔２６に係合する係合部６と、該係合部６に連結されたチェーン８とで構成し、前記本体２の回動中心部を除く部位に、該チェーン８を長さ調整可能に引っ掛ける第１係止部３を設ける。【選択図】図１
2011190591.tif 000002
【特許請求の範囲】
【請求項１】
回動自在に支持された本体（２）と、該本体（２）の一側に設けられた、蓋体（２５）に形成された係合孔（２６）に係合して蓋体（２５）を吊り上げる吊り上げ具（５）と、本体（２）の他側に設けられた、本体（２）の回動中心を支点にして吊り上げ具（５）を昇降操作する操作部（１５）とを備えた蓋体開閉装置において、
前記吊り上げ具（５）は、蓋体（２５）の係合孔（２６）に係合する係合部（６）と、該係合部（６）に連結されたチェーン（８）とを有し、
前記本体（２）は、本体（２）の回動中心部を除く部位に、該チェーン（８）を長さ調整可能に引っ掛ける第１係止部（３）を有していることを特徴とする蓋体開閉装置。
【請求項２】
前記本体（２）は、前記本体（２）の回動中心部側に配置される、前記吊り上げ具（５）を引っ掛ける第２係止部（２０）を有していることを特徴とする請求項１に記載の蓋体開閉装置。
【請求項３】
前記本体（２）は、前記第１係止部（３）が軸方向に配置される直線状の支持部材（２ａ，２ａ）を少なくとも一つ有していることを特徴とする請求項１または２に記載の蓋体開閉装置。
【請求項４】
前記本体（２）は、一の支持部材（２ａ）の中央部に、他の支持部材（２ａ）の一端部が直交方向に固着されて構成され、前記本体（２）の回動中心部および前記第２係止部（２０）が、他の支持部材（２ａ）の他端部側に配置されることを特徴とする請求項３に記載の蓋体開閉装置。
【請求項５】
前記本体（２）は、一対の支持部材（２ａ，２ａ）が二股状に配置されて構成され、各支持部材（２ａ，２ａ）間の分岐部側に、前記本体（２）の回動中心部および前記第２係止部（２０）が配置されることを特徴とする請求項３に記載の蓋体開閉装置。
【発明の詳細な説明】
【技術分野】
【０００１】
本発明は、例えばマンホールを密閉する蓋体を開閉する際に使用する蓋体開閉装置に関する。
【背景技術】
【０００２】
従来より、バールのような工具が使用されており、この工具の折れ曲がった先端部を、二人の作業者が蓋体の一対の係合孔にそれぞれ係止させて、二人でバランスよく、即ち蓋体を水平状態に維持するように持ち上げていた。この際、重量の大きい蓋体を各作業者が直接持ち上げるので、その作業に多大の労力を要していた。
【０００３】
このため、開閉作業の労力を軽減するための蓋体開閉装置が種々開発されている。この開閉装置としては、例えばマンホールの蓋体の直径方向に配置される水平アームと、該水平アームに移動自在に設けられた一対のフックと、該水平アームの両端部に、屈曲した一端部が取り付けられた一対の直立アームと、各直立アームの屈曲部に装着された一対の車輪と、各直立アームの他端部を連結するように設けられた操作アームとを備えたものが公知になっている（特許文献１）。
【０００４】
この開閉装置によれば、各フックをマンホールの蓋体の係合孔に係止させて、直立アームの車輪（屈曲部）を操作支点として、操作アームを上方から下方に回動操作して、マンホールの蓋体を開くようにしている。
【０００５】
また、他の従来の蓋体開閉装置としては、例えば互いの一端部が回動自在に連結された一対のアームと、該各アームの他端部の外側に回転自在に支持された一対の車輪と、各アームの他端部の内側に、該他端部に対して所定の角度をもって溶着された支持アームと、該支持アームに設けられた、雄ねじと雌ねじとの螺合によって長さ調整できる一対のフックとを備えたものが公知になっている（特許文献２）。
【０００６】
この開閉装置によれば、連結された各アームの一端部を回動支点にして、各アーム他端部を蓋体の直径に合わせて開くようにし、蓋体の係合孔に各フックを係止させるとともに、各フックの長さを調整し、各フックを直立状態にして、各アームを上方から下方に回動操作して、蓋体を開いている。
【先行技術文献】
【特許文献】
【０００７】
【特許文献１】特開平３−１８３８２２号公報
【特許文献２】特開平８−９１５１８号公報
【発明の概要】
【発明が解決しようとする課題】
【０００８】
しかしながら、従来の前者の蓋体開閉装置の場合、フックの長さ調整ができず、多種の蓋体の係合孔に対応できないという問題がある。
【０００９】
また、後者の蓋体開閉装置の場合、フックの長さを調整する場合、雄ねじと雌ねじとの螺合によって行われているので、その作業が煩雑であるという問題がある。
【００１０】
本発明は、このような実情に鑑みてなされ、フックの長さ調整を容易に行うことができる蓋体開閉装置を提供することを目的とする。
【課題を解決するための手段】
【００１１】
本発明に係る蓋体開閉装置は、回動自在に支持された本体２と、該本体２の一側に設けられた、蓋体２５に形成された係合孔２６に係合して蓋体２５を吊り上げる吊り上げ具５と、本体２の他側に設けられた、本体２の回動中心を支点にして吊り上げ具５を昇降操作する操作部１５とを備えた蓋体開閉装置において、前記吊り上げ具５は、蓋体２５の係合孔２６に係合する係合部６と、該係合部６に連結されたチェーン８とを有し、前記本体２は、本体２の回動中心部を除く部位に、該チェーン８を長さ調整可能に引っ掛ける第１係止部３を有していることを特徴とする。
【００１２】
この場合、本体２の回動中心が梃子の支点として、第１係止部３と吊り上げ具５との係止部が梃子の荷重点として作用することになる。そして、蓋体２５の係合孔２６と吊り上げ具５の係合部６との距離に応じて、吊り上げ具５のチェーン８の長さを調整することができる。すなわち、吊り上げ具５のチェーン８を構成する複数の連結輪を適宜選択して第１係止部３に引っ掛けることで、形状や大きさによって変わる前記距離に応じて容易に対応することができる。つまり、多種の蓋体を迅速且つ確実に吊り上げることができる。
【００１３】
また、本発明によれば、前記本体２に、前記本体２の回動中心部側に配置される、前記吊り上げ具５を引っ掛ける第２係止部２０を設けるような構成を選択することもできる。
【００１４】
この場合、本体２の回動中心側に位置する第２係止部２０に吊り上げ具５を係止するようにしている。すなわち、本体２の回動支点から近い距離で蓋体２５が吊り上げられるようになるので、蓋体２５の外周面が、蓋体２５によって閉塞されている孔の開口部の内周面に固着していても、比較的容易に蓋体２５を吊り上げることができるようになる。
【００１５】
また、本発明によれば、前記本体２に、前記第１係止部３が軸方向に配置される直線状の支持部材２ａを少なくとも一つ設けるような構成を選択することもできる。
【００１６】
また、本発明によれば、前記本体２を、前記一の支持部材２ａの中央部に、他の支持部材２ａの一端部を直交方向に固着して構成し、前記本体２の回動中心部および前記第２係止部２０を、他の支持部材２ａの他端部側に配置するようにしてもよい。
【００１７】
この場合、蓋体２５の中心線に沿うように、一の支持部材２ａを配置し、蓋体２５に形成された係合孔２６に吊り上げ具５の係合部６を係止させ、蓋体２５を吊り上げる。
【００１８】
一方、蓋体２５の外周面が、蓋体２５によって閉塞されている孔の開口部の内周面に固着している場合は、他の支持部材２ａの他端部側に配置される第２係止部２０に係止させた吊り上げ具５の係合部６に係合させることによって、蓋体２５を比較的容易に吊り上げることができるようになる。
【００１９】
また、本発明によれば、前記本体２を、一対の支持部材２ａを二股状に配置して構成し、各支持部材２ａ，２ａ間の分岐部側に、前記本体２の回動中心部および前記第２係止部２０を配置するようにしてもよい。
【００２０】
この場合、蓋体２５に形成される係合孔２６に、支持部材２ａの吊り上げ具５の係合部６を係合させ、各支持部材２ａ，２ａの分岐部側に配置される本体２の回動中心部を支点にして、本体２を回動させて、蓋体２５を吊り上げる。
【００２１】
一方、蓋体２５の外周面が、蓋体２５によって閉塞されている孔の開口部の内周面に固着している場合は、各支持部材２ａ，２ａの分岐部側に配置される第２係止部２０に係止させた吊り上げ具５に係合させることによって、蓋体２５を比較的容易に吊り上げることができるようになる。
【発明の効果】
【００２２】
本発明によれば、蓋体の係合孔に係合する吊り上げ具を、該係合孔に係合する係合部と、該係合部に連結されたチェーンとで構成し、回動自在に支持された本体の回動中心部を除く部位に設けられた第１係止部に、チェーンを長さ調整可能に引っ掛けるようにしたので、蓋体の開閉作業の作業効率を向上することができる。
【図面の簡単な説明】
【００２３】
【図１】本発明の一実施形態に係る蓋体開閉装置を示す斜視図。
【図２】吊り上げ具であって、フック（係合部）とチェーンとの連結部分を分解した状態を示す分解斜視図。
【図３】蓋体を取り外す際の使用態様の説明図。
【図４】蓋体の外周面が孔の開口部の内周面に固着した場合の使用態様の説明図。
【図５】蓋体開閉装置の変形例を示す構成図。
【発明を実施するための形態】
【００２４】
以下、本発明の一実施形態に係る蓋体開閉装置について図１〜図４を参照しつつ詳細に説明する。
【００２５】
まず、本実施形態に係る蓋体開閉装置の構成について説明する。該開閉装置１は、図１および図２に示すように、一対の支持部材２ａ，２ａで構成される本体２と、該本体２およびその操作部１５を連結する連結部４ａ，４ｃ、本体２を回動自在に軸支する車軸１０の軸受け部４ｂ、４ｂを有する連結体４と、各支持部材２ａ，２ａに引っ掛けられ、後述する蓋体２５に形成された係合孔２６に係合して、蓋体２５を吊り上げる吊り上げ具５とを備えている。
【００２６】
本体２は、前側に配置された一の支持部材２ａと、該支持部材２ａの中央部に一端部が直交方向に固着された、後側の他の支持部材２ａとでＴ字形状に構成されている。そして、他の支持部材２ａの他端部側に、本体２の回動中心部および後述する第２係止部２０が配置されている。
【００２７】
支持部材２ａは、金属製の直管（既製品）が使用されており、軸方向に沿って吊り上げ具５のチェーン８を長さ調整可能に引っ掛ける複数の第１係止部３，…が所定の間隔をおいて溶着されている。
【００２８】
第１係止部３は、直状部３ａと、該直状部３ａの下部から折り曲げられた円弧状部３ｂとを有している。そして、第１係止部３は、本体２の回動支点から離れた位置に設けられる、梃子としての荷重点として作用する係止部であり、蓋体２５を吊り上げる際に使用される吊り上げ具５の引っ掛け部である。
【００２９】
連結体４は、金属製または硬質樹脂で作製されており、前方に水平方向に延出された本体用連結部４ａと、本体用連結部４ａの左右の両側部から外方に延出された車軸１０の軸受け部４ｂ，４ｂと、本体用連結部４ａの後部から斜め上方に向かって延出された操作部用連結部４ｃとを有している。
【００３０】
本体用連結部４ａは、後述する他の支持部材２ａの他端部が軸方向に導入されて固着されている。また、本体用連結部４ａの外周面の側部（車軸１０の前方）に、後述する第２係止部２０が溶着されている。そして、第２係止部２０には、吊り上げ具５が引っ掛けられている。
【００３１】
軸受け部４ｂ，４ｂは、車軸１０が回転自在に支持されている。そして、該車軸１０の両端部に車輪１１，１１が取り付けられ、この車輪１１，１１によって、本体２を移動させることができる。そして、車軸１０は、上述したように、本体２を梃子として使用する場合の支点となる。
【００３２】
操作部用連結部４ｃは、後述する操作部１５の連結軸１６の一端部が連結されている。そして、水平線に対して操作部用連結軸２ｃの角度は、１２０〜１３０度の範囲に設定される。すなわち、梃子として有効に作用させるのに適した角度に設定されている。
【００３３】
吊り上げ具５は、図２に示すように、蓋体２５に形成された係合孔２６に係合する係合部６と、該係合部６に連結されたチェーン８とを有している。
【００３４】
係合部６は、既製品であるフックが使用されており、円柱状の基部である直状部６ａから円弧状に折り曲げられ、さらに、先端部６ｂがやや基部側に向かって（斜めに）折り曲げられている。そして、先端部６ｂは、等脚台形を逆向きにした形状、すなわち、先端に向かうにしたがって幅広で、平板状になっている。つまり、係合部６は、蓋体２５の係合孔２６に挿入しやすくて、該係合孔２６の係止杆２７から簡単に抜けない形状、換言すれば、係止杆２７との係合が容易に解除できない凹部になっている。また、係合部６の直状部６ａの端面には、雄ねじ７が軸方向に突設されている。
【００３５】
チェーン８は、金属製の既製品が使用されており、複数の連結輪８ａ，…が連結されて構成されている。そして、チェーン８の一端部は自由端であり、複数の連結輪８ａ，…は、第１係止部３および第２係止部２０のいずれにも引っ掛けられる大きさで、蓋体２５の係合孔２６と係合部６との距離に応じて、連結輪８ａ，…を適宜選択することで、チェーン８の長さが調整できるようになっている。一方、チェーン８の他端部、すなわち終端の連結輪８ａは、半分に切断されており、切断された連結輪８ａの両端部に雌ねじ（ナット）９の上端面が溶着されている。
【００３６】
そして、係合部６の雄ねじ７に、チェーン８の雌ねじ（ナット）９が螺着されて、係合部６とチェーン８が一体化され、吊り上げ具５が構成される。雄ねじ７と雌ねじ９の結合は、蓋体２５を吊り上げるのに充分な強度を有している。
【００３７】
操作部１５は、Ｔ字形状のハンドルからなり、該ハンドルは、連結体４の操作部用連結部４ｃに一端部が連結された直線状の連結軸１６と、該連結軸１６の他端部に中央部が直交方向に固着された直線状の操作軸１７とを有している。そして、操作軸１７の両端部にグリップ１８，１８が設けられて、把持しやすくなっている。すなわち、上方に位置する連結軸１６の他端部を、操作軸１７によって上方から下方に向かって操作することで、蓋体２５に対して平行するように配置される前側の支持部材２ａが、車軸（後側の支持部材２ａの他端部）１０を支点として上方に移動することになる。つまり、梃子の原理を利用して、蓋体２５を吊り上げる動作がなされる。
【００３８】
第２係止部２０は、第１係止部３と同様に、直状部２０ａと、該直状部２０ａの下部から折り曲げられた円弧状部２０ｂとを有している。そして、第２係止部２０は、本体２の回動支点の近傍に設けられ、梃子としての荷重点として作用する係止部である。したがって、第２係止部２０は、大きな力が作用することになるため、蓋体２５の外周面が、孔３０の開口部の内周面に固着して、第１係止部３では蓋体２５を容易に吊り上げることができない場合に使用される。
【００３９】
ここで、マンホールなどの孔３０を閉塞する蓋体２５について説明する。該蓋体２５は、直交する中心線うちの一方の中心線の両端部（周縁部）に一対の係合孔２６が形成され、他方の中心線の両端部（周縁部）を貫通した雄ねじにロックナットが螺合して（図示せず）、孔３０に固定されている。
【００４０】
蓋体２５の係合孔２６は、図３に示すように、断面が矩形状を呈しており、上面開口部の中心線に沿うように配置された係止杆２７の両端部が、上面開口部の内面に固着されている。すなわち、係合孔２６の上面開口部は係止杆２７によって二分されており、上述した吊り上げ具５の係合部の先端部が一方から導入されて他方へ導出され、吊り上げ具５の係合部６に、蓋体２５の係止杆２７が係止するようになっている。
【００４１】
つぎに使用態様について図３および図４を参照して説明する。まず、図３の実線に示すように、前側の支持部材２ａの両端部を、蓋体２５の直径方向の両端部に位置する係合孔２６の上方に配置させる。そして、前側の該支持部材２ａの両第１係止部３，３に引っ掛けられた吊り上げ具５のチェーン８の長さを調整、すなわち蓋体２５の係合孔２６に応じた長さになるように、チェーン８の連結輪８ａ，…を適宜選択して第１支持部４に引っ掛ける。
【００４２】
この状態で、吊り上げ具５の係合部（フック）６の先端部６ｂを、蓋体２５の係合孔２６の一方から他方に向かって挿通し、該係合孔２６の係止杆２７に係合部６を係止させる。
【００４３】
つぎに、図３の鎖線に示すように、操作軸１７のグリップ１８，１８を把持して、連結軸１６、連結体４、後側の支持部材２ａを介して、前側の支持部材２ａを上方に回動させる。これによって、係合孔２６の係止杆２７に係合した係合部６がチェーン８を介して上方に吊り上げられて、蓋体２５が孔３０の開口周縁部から離脱して、水平に維持された状態で吊り上げられる。
【００４４】
つぎに、蓋体２５の外周面が、蓋体２５によって閉塞される孔３０の開口部の内周面に固着された場合は、図４に示すように、連結体４に固着された第２係止部２０に吊り上げ具５を引っ掛けて、前記と同様に、チェーン８の長さを調整して、吊り上げ具５の係合部６を蓋体２５の係合孔２６に係合させる。そして、操作軸１７を下方に回動操作して、前側の支持部材２ａを上方に移動させて、蓋体２５の固着状態を解除する。
【００４５】
このように、本実施形態に係る蓋体開閉装置１は、吊り上げ具５のチェーン８の長さを、蓋体２５の係合孔２６と吊り上げ具５の係合部６との距離に応じて調整し、蓋体２５を吊り上げるようにしたので、蓋体２５の形状や大きさに関係なく、多種の蓋体を吊り上げることができる。
【００４６】
なお、本発明は、前記実施形態に限定されることなく、発明の要旨を逸脱しない限りにおいて、適宜、必要に応じて、設計変更や改良等を行うのは自由であり、また、その構成の組み合わせも自由である。
【００４７】
例えば、前記実施形態では、一対の支持部材２ａ，２ａをＴ字形状にして本体２を構成するようにしたが、図５に示すように、一対の支持部材２ａ，２ａの互いの一端部を固着して二股状（Ｖ字形状）に配置し、各支持部材２ａ，２ａの分岐部側に第２係止部２０および本体２の回動中心部（車軸）を配置するようにしてもよい。但し、この場合、第２係止部２０は、各支持部材２ａ，２ａの間の分岐側（車軸の近傍）に配置された直線状の支持部材２１の中央部に固着されている。なお、支持部材２ａ、吊り上げ具５、操作部１５の構成は、前記実施形態と同様であるので、これらの説明は省略する。
【００４８】
そして、各支持部材２ａ，２ａの先端部を、蓋体２５の一対の係合孔２６の真上に位置するように本体２を移動させる。つぎに、各支持部材２ａ，２ａの吊り上げ具５の係合部６を、蓋体２５の係合孔２６に係合させて、操作部１５の操作軸１７を下方に回動操作して、各支持部材２ａ，２ａの先端部を上方に回動させて、蓋体２５を吊り上げる。
【００４９】
また、本体２を、一対の支持部材２ａ，２ａをＴ字形状またはＶ字形状にして構成するようにしたが、複数の支持部材２ａ，…を平面視四角形の枠状に骨組みするようにしてもよい。
【符号の説明】
【００５０】
１…蓋体開閉装置、２…本体、２ａ，２１…支持部材、３…第１係止部、３ａ…直状部、３ｂ…円弧状部、４…連結体、４ａ…本体用連結部、４ｂ…軸受け部、４ｃ…操作部用連結部、５…吊り上げ具、６…係合部、６ａ…直状部、６ｂ…先端部、７…雄ねじ、８…チェーン、８ａ…連結輪、９…雌ねじ（ナット）、１０…車軸、１１…車輪、１５…操作部、１６…連結軸、１７…操作軸、１８…グリップ、２０…第２係止部、２０ａ…直状部、２０ｂ…円弧状部、２５…蓋体、２６…係合孔、２７…係止杆、３０…孔
【図１】
2011190591.tif 000003
【図２】
2011190591.tif 000004
【図３】
2011190591.tif 000005
【図４】
2011190591.tif 000006
【図５】
2011190591.tif 000007